(57)【要約】【課題】  ＤＲＭ処理されたコンテンツをサーバーで一元管理してコンテンツの移動を不要にする。【解決手段】  ＤＲＭ処理されたコンテンツをサーバで一元管理するシステムであり、ユーザ毎の暗号化コンテンツと権利情報をサーバ上で管理する。コンテンツ利用者は、ＤＲＭ処理された暗号化コンテンツと権利情報を格納するユーザ毎の管理サーバにアクセスして、再生処理を行う。再生時には、最新の再生アプリケーションが格納されたＤＲＭコンテンツ再生サーバ上での再生結果が、コンテンツ利用者の端末機器に表示される。【選択図】図１
2008310609.tif 000002
【特許請求の範囲】
【請求項１】
ＤＲＭ処理されたコンテンツとそれに対応する権利情報（ライセンスキー）を、コンテンツプロバイダ又は通信事業者が、一元的に管理・配信するシステムであって、
コンテンツと権利情報は端末装置にダウンロードせずに、端末装置から常時アクセスして利用することとし、
ＤＲＭ処理された暗号化コンテンツを格納する暗号化コンテンツ保管部と、ＤＲＭ処理された権利情報を格納する権利情報保管部と、暗号化コンテンツと権利情報の対応を管理するＤＲＭコンテンツ対応管理部と、ネットワークによりシステム内外とのデータ処理を行うネットワーク制御部、とから構成されるＤＲＭコンテンツ管理システムと、
利用ユーザ毎の暗号化コンテンツを格納するユーザ毎のＤＲＭコンテンツ管理部と、ユーザ毎の権利情報を格納するユーザ毎の権利情報保管部と、ユーザ毎のＤＲＭコンテンツとユーザ毎の権利情報の対応を管理するユーザ毎のＤＲＭコンテンツ対応管理部と、ネットワークによりシステム内外とのデータ処理を行うネットワーク制御部、とから構成されるユーザ毎の管理システムと、
ＤＲＭコンテンツと権利情報を組合わせたコンテンツの再生処理を行う再生アプリケーションを格納する再生アプリケーション保管部と、ＤＲＭコンテンツと権利情報を組合わせたコンテンツと対応する再生アプリケーションの対応を管理するコンテンツと再生アプリケーション対応管理部と、再生アプリケーションを実行してコンテンツを再生する再生アプリケーション実行部と、再生アプリケーションの処理結果を利用ユーザの端末装置に配信する処理結果の配信部と、ネットワークによりシステム内外とのデータ処理を行うネットワーク制御部とから構成されるＤＲＭコンテンツ再生システムと、
からなることを特徴とするコンテンツをサーバで一元管理するシステム。
【発明の詳細な説明】
【技術分野】
【０００１】
本願発明はＤＲＭ処理されたコンテンツをサーバーで一元管理するシステムに関する。
【背景技術】
【０００２】
パーソナルコンピュータや携帯電話などの端末装置で利用するためにＤＲＭ（Digital Right Management）処理されたコンテンツ配信システムでは、まずコンテンツ提供者がオリジナルのコンテンツをＤＲＭ処理して、ＤＲＭ暗号化ファイルとそれに対応するＤＲＭ権利情報（例えばライセンスキー）を生成する。そして暗号化ファイルと権利情報をサーバから配信してコンテンツ利用者の端末装置上で組合わせて、コンテンツを利用することができる。
【発明の開示】
【発明が解決しようとする課題】
【０００３】
しかし、従来のシステムではコンテンツをコンテンツ利用者の端末装置上にダウンロードして利用するため、端末機器の変更、破損、また携帯電話向けのコンテンツの場合はモバイルナンバーポータビリティによる利用通信事業者の変更等の際には、コンテンツ利用者が購入したコンテンツを端末装置間で移動させる必要があった。コンテンツ利用者がコンテンツを移動しない場合や、上記理由等によりコンテンツの移動ができない状態の場合は、ユーザは購入したコンテンツを再度利用することはできなかった。
【０００４】
また、コンテンツ利用者が利用する携帯電話の端末装置は保存容量が小さく、大容量コンテンツを利用することが比較的困難であった。さらにコンテンツを再生するアプリケーションの最新版は、コンテンツ利用者が確認して入手する必要があった。
【０００５】
【特許文献１】特開２００５−２５８９２７号公報
【課題を解決するための手段】
【０００６】
上記課題を達成するため、本発明は、ＤＲＭ処理されたコンテンツとそれに対応する権利情報（ライセンスキー）を、コンテンツプロバイダ又は通信事業者が、一元的に管理・配信するシステムであって、
コンテンツと権利情報は端末装置にダウンロードせずに、端末装置から常時アクセスして利用することとし、
ＤＲＭ処理された暗号化コンテンツを格納する暗号化コンテンツ保管部と、ＤＲＭ処理された権利情報を格納する権利情報保管部と、暗号化コンテンツと権利情報の対応を管理するＤＲＭコンテンツ対応管理部と、ネットワークによりシステム内外とのデータ処理を行うネットワーク制御部、とから構成されるＤＲＭコンテンツ管理サーバと、
利用ユーザ毎の暗号化コンテンツを格納するユーザ毎のＤＲＭコンテンツ管理部と、ユーザ毎の権利情報を格納するユーザ毎の権利情報保管部と、ユーザ毎のＤＲＭコンテンツとユーザ毎の権利情報の対応を管理するユーザ毎のＤＲＭコンテンツ対応管理部と、ネットワークによりシステム内外とのデータ処理を行うネットワーク制御部、とから構成されるユーザ毎の管理サーバと、
ＤＲＭコンテンツと権利情報を組合わせたコンテンツの再生処理を行う再生アプリケーションを格納する再生アプリケーション保管部と、DRMコンテンツと権利情報を組合わせたコンテンツと対応する再生アプリケーションの対応を管理するコンテンツと再生アプリケーション対応管理部と、再生アプリケーションを実行してコンテンツを再生する再生アプリケーション実行部と、再生アプリケーションの処理結果を利用ユーザの端末装置に配信する処理結果の配信部と、ネットワークによりシステム内外とのデータ処理を行うネットワーク制御部とから構成されるDRMコンテンツ再生サーバシステムと、
からなることを特徴とする。
【発明の効果】
【０００７】
本発明は、ＤＲＭ処理されたコンテンツをサーバで一元管理するシステムであり、コンテンツプロバイダ又は通信事業者が、ＤＲＭ処理された暗号化コンテンツと権利情報を配信サーバ上で一元管理することができる。よって、暗号化コンテンツと権利情報を端末装置にダウンロードしないため、コンテンツ利用者は、暗号化コンテンツと権利情報を端末装置間で移動する必要がない。また、コンテンツ利用者は、コンテンツプロバイダ又は通信事業者が提供するユーザ毎の保管部にコンテンツを格納することができるため、大容量のコンテンツも比較的容易に利用可能である。さらにコンテンツプロバイダ又は通信事業者が、コンテンツの再生アプリケーションのバージョンもサーバ上で管理するため、コンテンツ利用者が最新版かどうかを個別に確認して入手する必要がない。
【発明を実施するための最良の形態】
【０００８】
以下、図面を参照して本発明の実施の形態を説明する。
【０００９】
図１は本発明のＤＲＭ処理されたコンテンツをサーバで一元管理するシステムの一実施例を示すブロック構成図である。
【００１０】
図１において、１１はコンテンツ提供者がオリジナルコンテンツを作成するパーソナルコンピュータ、１２はコンテンツを購入するコンテンツ利用者が操作するパーソナルコンピュータ、ＰＤＡ、携帯電話などの端末装置、１３はコンテンツ提供者又はコンテンツ利用者がＤＲＭ処理されたコンテンツのサーバ一元管理システムにアクセスするときに経由するインターネット、１４はコンテンツ利用者が本システムを利用するときに経由する無線回線、１５はコンテンツ提供者がオリジナルコンテンツをアップロードすると、オリジナルコンテンツからＤＲＭ処理された暗号化コンテンツとそれに対応する権利情報を作成するＤＲＭコンテンツ作成サーバ、１６はコンテンツ利用者に対してコンテンツの閲覧と販売処理を行うことと、コンテンツ利用者がコンテンツを再生するときにアクセスすると認証を行う認証サーバに処理を依頼する販売ポータルサイトサーバ、１７は１６の販売ポータルサイトサーバ利用時にユーザの認証処理を行う認証サーバ、１８はユーザの購入したコンテンツの履歴を管理する購入履歴管理サーバ、１９はＤＲＭ処理された暗号化コンテンツと権利情報を保管してその対応を管理するＤＲＭコンテンツ管理サーバ、１１０はユーザ毎のＤＲＭ処理された暗号化コンテンツと権利情報を保持してその対応を管理するユーザ毎の管理サーバ、１１１はコンテンツとそれを再生するアプリケーションを管理してコンテンツに合わせて再生アプリケーションを実行するＤＲＭコンテンツ再生サーバである。
【００１１】
図２でＤＲＭコンテンツ作成サーバは、ネットワーク制御部２１、オリジナルコンテンツ受信部２２、ＤＲＭコンテンツ生成部２３、ＤＲＭコンテンツ配信部２４から構成される。ネットワーク制御部２１は、システム内部のデータ処理とシステム外部であるコンテンツ提供者とのデータ処理に使用される。オリジナルコンテンツ受信部２２は、コンテンツ提供者からアップロードされるオリジナルコンテンツデータの受信に使用される。ＤＲＭコンテンツ生成部２３は、オリジナルコンテンツからＤＲＭ処理された暗号化コンテンツとそれに対応する権利情報の生成に使用される。ＤＲＭコンテンツ配信部２４は、生成した暗号化コンテンツとそれに対応する権利情報を、ＤＲＭコンテンツ管理サーバに配信するのに使用される。
【００１２】
図３で販売ポータルサイトサーバは、ネットワーク制御部３１、コンテンツ閲覧部３２、ユーザ認証依頼部３３、コンテンツ販売部３４から構成される。ネットワーク制御部３１は、システム内部のデータ処理とシステム外部であるＤＲＭコンテンツ作成サーバと、コンテンツ利用者の端末装置からのアクセス時のデータ処理に使用される。コンテンツ閲覧部３２は、コンテンツ利用者がネットワーク上でアクセスして購入するコンテンツを閲覧しながら決定するために使用される。ユーザ認証依頼部３３は、コンテンツ購入時の認証処理とコンテンツ再生時の認証処理を行う際に、認証サーバに処理を依頼するために使用される。認証サーバからの認証結果によりコンテンツ購入処理とコンテンツ再生処理を継続するかどうかが決定される。コンテンツ販売部３４は、認証されたコンテンツ利用者に対するコンテンツの販売処理に利用される。
【００１３】
図４で認証サーバは、ネットワーク制御部４１、ユーザデータ保管部４２、ユーザ認証処理部４３、ユーザデータメンテナンス部４４から構成される。ネットワーク制御部４１は、システム内部のデータ処理とシステム外部である販売ポータルサイトサーバとのデータ処理に使用される。ユーザデータ保持４２は、ユーザ認証処理を実行するためのデータを格納するのに使用される。本発明の実施の形態では、４５に示すように、ユーザ名とパスワードデータを使用しており、ユーザ名であるユーザＡ、ユーザＢ、ユーザＣのパスワードはそれぞれＡＡＡ、ＢＢＢ、ＣＣＣである。ユーザ認証処理部４３は、アクセスしているユーザの認証処理を、ユーザデータ保管部４２に格納されたデータを使用して実施する。ユーザデータメンテナンス部４４は、ユーザデータ保管部４２のデータを新規作成、変更、削除等のメンテナンスを行うために使用される。
【００１４】
図５で購入履歴管理サーバは、ネットワーク制御部５１、購入対象コンテンツ受付部５２、ユーザ毎の購入履歴保管部５３、購入処理の結果通知部５４から構成される。ネットワーク制御部５１は、システム内部のデータ処理とシステム外部である販売ポータルサイトサーバと、ユーザ毎の保管サーバとのデータ処理に使用される。購入対象コンテンツ受付部５２は、コンテンツ利用者が購入したコンテンツの情報を取得するために使用される。ユーザ毎の購入履歴保管部５３は、ユーザ毎のコンテンツ購入履歴データを格納するために使用される。本発明の実施の形態では、５５に示すように、ユーザ名と購入コンテンツ名を使用しており、ユーザ名であるユーザＡ、ユーザＢの購入コンテンツ名はそれぞれＣ１とＣ２、Ｃ１である。購入処理の結果通知部５４は、コンテンツ利用者に対してコンテンツ購入が正常に処理されたかどうかの結果を通知するために使用される。
【００１５】
図６でＤＲＭコンテンツ管理サーバは、ネットワーク制御部６１、ＤＲＭコンテンツ対応管理部６２、暗号化コンテンツ保管部６３、権利情報保管部６４から構成される。ネットワーク制御部６１は、システム内部のデータ処理とシステム外部であるＤＲＭコンテンツ作成サーバと購入履歴管理サーバとのデータ処理に使用される。ＤＲＭコンテンツ対応管理部６２は、購入コンテンツ名と暗号化コンテンツ名と権利情報名の対応を管理するために使用される。本発明の実施の形態では、６５に示すように、購入コンテンツ名と暗号化コンテンツ名と権利情報名を使用しており、購入コンテンツ名Ｃ１、Ｃ２、Ｃ３に対応する暗号化コンテンツ名と権利情報名はそれぞれＤＲＭ_Ｃ１、ＤＲＭ_Ｃ２、ＤＲＭ_Ｃ３、そしてＲ１、Ｒ２、Ｒ３である。暗号化コンテンツ保管部６３は、暗号化コンテンツを格納するために使用される。権利情報保管部６４は、権利情報を格納するために使用される。
図７でユーザ毎の管理サーバは、ネットワーク制御部７１、ユーザ毎のDRMコンテンツ対応管理部７２、ユーザ毎の暗号化コンテンツ保管部７３、ユーザ毎の権利情報保管部７４から構成される。ネットワーク制御部７１は、システム内部のデータ処理とシステム外部である認証サーバとDRMコンテンツ管理サーバとのデータ処理に使用される。ユーザ毎のＤＲＭコンテンツ対応管理部７２は、ユーザ名と暗号化コンテンツ名と権利情報名の対応を管理するために使用される。本発明の実施の形態では、７５に示すように、ユーザ名と暗号化コンテンツ名と権利情報名を使用しており、ユーザ名ユーザＡ、ユーザＢに対応する暗号化コンテンツ名と権利情報名はそれぞれＤＲＭ_Ｃ１とＤＲＭ_Ｃ２、ＤＲＭ_Ｃ１、そしてＲ１_ＡとＲ２_Ａ、Ｒ１_Ｂである。ユーザ毎のＤＲＭコンテンツ対応管理部７３は、ユーザ毎の暗号化コンテンツを格納するために使用される。ユーザ毎の権利情報保管部７４は、ユーザ毎の権利情報を格納するために使用される。
【００１６】
図８でＤＲＭコンテンツ再生サーバは、ネットワーク制御部８１、コンテンツと再生アプリケーション対応管理部８２、再生アプリケーション保管部８３、再生アプリケーション実行部８４、処理結果の配信部８５から構成される。ネットワーク制御部８１は、システム内部のデータ処理とシステム外部であるユーザ毎の管理サーバとのデータ処理に使用される。コンテンツと再生アプリケーション対応管理部８２は、拡張子名と再生アプリケーション名の対応を管理するために使用される。本発明の実施の形態では、８６に示すように、拡張子名と再生アプリケーション名を使用しており、拡張子名ｍｐｇ、．ａｖｉ、．ｍｐｅｇ、に対応する再生アプリケーション名はそれぞれＭｕｓｉｃＰｌａｙｅｒ_Ａ、ＭｏｖｉｅＰｌａｙｅｒ_Ａ、ＭｏｖｉｅＰｌａｙｅｒ_Bである。再生アプリケーション保管部８３は、コンテンツを再生するアプリケーションを格納するために使用される。再生アプリケーション実行部８４は、再生アプリケーションを使用してコンテンツを再生するために使用される。処理結果の配信部８５は、再生アプリケーション実行時の処理結果を、コンテンツ利用者の端末装置に配信するために使用される。
【００１７】
次に、本発明のＤＲＭ処理されたコンテンツをサーバで一元管理するシステムによるコンテンツの登録処理、コンテンツの購入処理、コンテンツの再生処理を図９のシーケンスと、図１０、図１１、図１２のフローチャートに従って説明する。
【００１８】
図９は各端末と各サーバ間のシーケンスを示す図である。コンテンツの登録処理時には、ＰＣからＤＲＭコンテンツ作成サーバにコンテンツ登録する（Ｓ９０１）。すると、ＤＲＭコンテンツ作成サーバはＤＲＭコンテンツを作成し（Ｓ９０２）、該コンテンツはＤＲＭコンテンツ管理サーバにて管理する（Ｓ９０２）。
【００１９】
コンテンツの購入処理時には、端末装置から販売ポータルサイトサーバに対しアクセスし（Ｓ９０３）、認証サーバにてユーザ認証を行なう（Ｓ９０４）。認証されると、購入履歴管理サーバに対してコンテンツの購入（Ｓ９０５）する。購入履歴管理サーバはＤＲＭコンテンツ管理サーバに対し対象コンテンツの取得を実行する（Ｓ９０６）。ＤＲＭコンテンツ管理サーバはユーザ毎の保管サーバに対しユーザ毎の保管部に配信し（Ｓ９０７）する。ユーザ毎の保管サーバはこれに応答して購入履歴の更新を実行し（Ｓ９０８）、購入処理の正常完了を端末装置に通知する（Ｓ９０９）。
【００２０】
コンテンツの再生処理時には、端末装置からポータルサイトにアクセスし（Ｓ９１０）し、ユーザ認証（Ｓ９１１）を行なった後、ユーザ毎の保管部にアクセスし（Ｓ９１２）、再生アプリケーションを起動し（Ｓ９１３）、その処理結果を端末装置に配信する（Ｓ９１４）。
【００２１】
図１０は、コンテンツ提供者がDRM処理されたコンテンツを作成して本システムに登録する、コンテンツの登録処理を示すフローチャートである。
【００２２】
コンテンツ提供者は、作成したオリジナルコンテンツを、インターネットを経由してＤＲＭコンテンツ作成サーバにコンテンツ登録を行う（Ｓ１１１）。まずアップロードされたオリジナルコンテンツを格納して登録する。このコンテンツの登録が成功しない場合（Ｓ１１２Ｎ）は、再度コンテンツ登録処理に戻る。コンテンツ登録が成功した場合（Ｓ１１２Ｙ）は、DRM処理した暗号化コンテンツとそれに対応した権利情報が生成される（Ｓ１１３）。生成した暗号化コンテンツと対応した権利情報は、DRMコンテンツ管理サーバに配信された後、DRMコンテンツ対応管理部で管理する（Ｓ１１４）。また配信された暗号化コンテンツと権利情報は、それぞれ暗号化コンテンツ保管部と権利情報保管部に格納される。
【００２３】
図１１は、コンテンツ利用者が端末装置からコンテンツを購入する、コンテンツの登録処理を示すフローチャートである。
【００２４】
コンテンツ利用者は、端末装置からインターネット又は無線回線を経由して販売ポータルサイトにアクセスする（Ｓ１２１）。販売ポータルサイトサーバではコンテンツ閲覧部により購入するコンテンツを閲覧して選択する。購入するコンテンツを決定すると、パスワードを使用してユーザの認証を行う（Ｓ１２２）。その際、ユーザ認証依頼部により認証サーバに認証処理が依頼される。認証サーバ上で、ユーザの認証が成功しない場合（Ｓ１２２Ｎ）は、再度販売ポータルサイトにアクセスした状態となる。ユーザの認証が成功した場合（Ｓ１２２Ｙ）は、コンテンツ販売部によりコンテンツの購入処理（Ｓ１２３）として、対象コンテンツの情報を取得する（Ｓ１２４）。ＤＲＭコンテンツ管理サーバ上のＤＲＭコンテンツ対応管理部により、該当するコンテンツを、暗号化コンテンツ保管部と権利情報保管部から取得する。取得したデータを、ユーザ毎の保管サーバ上の、該当するユーザ毎の暗号化コンテンツ保管部とユーザ毎の権利情報保管部に配信する（Ｓ１２５）。配信が成功しない場合（Ｓ１２６Ｎ）は、再度配信処理を行う。配信が成功した場合（Ｓ１２６Ｙ）は、購入履歴管理サーバ上のユーザ毎の購入履歴保管部により購入履歴の更新を行う（Ｓ１２７）。その後購入処理の結果通知部により、コンテンツ利用者の端末装置に購入処理が成功したことを通知する（Ｓ１２８）。
【００２５】
図１２は、コンテンツ利用者が端末装置からコンテンツの再生を行う、コンテンツの再生処理を示すフローチャートである。
【００２６】
コンテンツ利用者は、端末装置からインターネット又は無線回線を経由して販売ポータルサイトサーバにアクセスする（Ｓ１３１）。販売ポータルサイトサーバでは、ユーザ認証依頼部により認証サーバに認証処理が依頼される。認証サーバ上で、ユーザの認証が成功しない場合（Ｓ１３２Ｎ）は、再度販売ポータルサイトサーバにアクセスした状態となる。ユーザの認証が成功した場合（Ｓ１３２Ｙ）は、ユーザ毎の保管サーバ上で、ユーザ毎のＤＲＭコンテンツ対応管理部により、該当するユーザ毎の暗号化コンテンツ保管部とユーザ毎の権利情報保管部にアクセスする（Ｓ１３３）。その後、ＤＲＭコンテンツ再生サーバ上で、コンテンツと再生アプリケーション対応管理部と再生アプリケーション実行部により、対象コンテンツに対応した再生アプリケーションを起動して実行する（Ｓ１３４）。処理結果の配信部により、再生アプリケーション実行時の処理結果をコンテンツ利用者の端末装置に配信する（Ｓ１３５）。  
【図面の簡単な説明】
【００２７】
【図１】本発明の一実施例を示すシステム全体のブロック図
【図２】DRMコンテンツ作成サーバのブロック図
【図３】販売ポータルサイトサーバのブロック図
【図４】認証サーバのブロック図
【図５】購入履歴管理サーバのブロック図
【図６】DRMコンテンツ管理サーバのブロック図
【図７】ユーザ毎の管理サーバのブロック図
【図８】DRMコンテンツ再生サーバのブロック図
【図９】システム全体のシーケンス図
【図１０】コンテンツの登録処理のフローチャート
【図１１】コンテンツの購入処理のフローチャート
【図１２】コンテンツの再生処理のフローチャート
【図１】
2008310609.tif 000003
【図２】
2008310609.tif 000004
【図３】
2008310609.tif 000005
【図４】
2008310609.tif 000006
【図５】
2008310609.tif 000007
【図６】
2008310609.tif 000008
【図７】
2008310609.tif 000009
【図８】
2008310609.tif 000010
【図９】
2008310609.tif 000011
【図１０】
2008310609.tif 000012
【図１１】
2008310609.tif 000013
【図１２】
2008310609.tif 000014